(57)【特許請求の範囲】
【請求項１】
表示内容を立体的に視認させる表示体の製造方法において、基材ガラスに塗料で図柄を描き、この基材ガラスの少なくとも図柄を描いた部分を覆うように透明な積層ガラスを接触配置し、前記基材ガラスと前記積層ガラスとを軟化温度にて一体焼成し、この焼成時に基材ガラス上の前記図柄部分だけ失透させて表示内容を形成して表示体を得ることを特徴とする表示体の製造方法。
【発明の詳細な説明】
【技術分野】
【０００１】
本発明は、表示内容を立体的に表示させることができ、視認者に対して視覚的かつ芸術的に強く訴えることができると共に独特な視覚効果を得ることができる表示体の製造方法に関するものである。
【背景技術】
【０００２】
従来、以下の特許文献１，２には、表示内容を彫り込んで光分散性物質を塗布した透明アクリル板などの透明な板体に、外部から照射された光を該光分散性物質により乱反射させることで表示内容を立体的に浮かび上がらせるようにする表示装置が示されている。
【先行技術文献】
【特許文献】
【０００３】
【特許文献１】実用新案登録第３０９６７０８号公報
【特許文献２】特開２００７−１７１３４０号公報
【０００４】
しかしながら、上記特許文献１，２は、照明とその光を乱反射させる光分散性物質によって表示内容を立体的に浮かび上がらせるというものであり、前記視覚効果を得ようとするためにはどうしても光分散性物質が必須となっていた。また、特許文献１，２は、表示内容をアクリル板に彫り込んでいる点で、表示内容そのものを作成するのに非常に手間がかかり、簡便ではなかった。
【発明の概要】
【発明が解決しようとする課題】
【０００５】
解決しようとする問題点は、特許文献１，２では、表示内容を浮かび上がらせようとすると光分散性物質が必須となる点、及び表示内容自体を簡便に作成することができない点、である。
【課題を解決するための手段】
【０００６】
本発明の表示体の製造方法は、基材ガラスに塗料で図柄を描き、この基材ガラスの少なくとも図柄を描いた部分を覆うように透明な積層ガラスを接触配置配置し、前記基材ガラスと前記積層ガラスとを軟化温度にて一体焼成し、この焼成時に基材ガラス上の前記図柄部分だけ失透させて表示内容を形成して表示体を得ることを最も主要な特徴とする。
【発明の効果】
【０００７】
本発明は、基材ガラスに通常の汎用的な塗料で図柄を描くことができるので、手間がかからず、例えば印刷によって図柄を描くこともできる。したがって、表示内容自体の作成が極めて簡便となる。
【０００８】
基材ガラスに描かれた図柄は、表裏を積層ガラスにより覆われ、これらを一体化すべく焼成するときに、基材ガラス中の成分が図柄の塗料と反応し、ガラス中の表面成分が結晶化して失透（透明ではなくなる）現象が生じる。
【０００９】
すなわち、この失透現象が、例えばサンドブラストによって図柄を描いた状態と同等の効果をもたらす。サンドブラストによって図柄を描くには、そういった装置が必要となると共に手間となる。これに対して失透現象を用いた本発明では、基材ガラス上に軟化温度に加熱した際にガラス中の表面成分が反応して結晶化する塗料で描く、印刷する、などの手法で図柄を形成すればよいので極めて簡便である。
【００１０】
そして、本発明により得られた表示体は、側面方向から光源で照射することで、上記失透した部分で光の乱反射が生じ、該失透した部分だけが光って見えることになる。
【００１１】
本発明により得られた表示体は、以上の作用により、例えば暗い場所で作動させると、失透部分（表示内容）だけが光って見え、空中に表示内容が浮いているような立体感を視認させることができるようになる。
【図面の簡単な説明】
【００１２】
【図１】図１は本発明により得られた表示体を用いた表示装置を示す図である。
【図２】図２（ａ）〜（ｃ）は表示装置のＬＥＤ光源部及び枠部を示す図である。
【図３】図３は本発明の表示体の作成状況を示す図である。
【図４】図４は本発明により得られた表示体の他の構成を示す図である。
【発明を実施するための形態】
【００１３】
本発明は、表示内容を浮かび上がらせるための光分散性物質を用いず、かつ簡便に表示内容を作成するという目的を、基材ガラスに塗料で図柄を描き、この基材ガラスの少なくとも図柄を描いた部分を覆うように透明な積層ガラスを接触配置し、前記基材ガラスと前記積層ガラスとを軟化温度にて一体焼成し、この焼成時に基材ガラス上の前記図柄部分だけ失透させて表示内容を形成して表示体を得ることにより達成した。以下に具体例について説明する。
【実施例１】
【００１４】
本発明は、図１〜図４を用いて説明する形態で実施可能である。なお、図１〜図３においてはいずれも理解を容易にするため、例えば板厚、表示内容の位置や寸法等を誇張して示している。
【００１５】
表示装置１は次の構成とされる。表示装置１は、表示内容を立体的に視認させるものであって、塗料で図柄を描いた基材ガラス２と、この基材ガラス２の表裏面に積層された透明な積層ガラス３，３とを備えている。
【００１６】
また、表示装置１は、これら基材ガラス２と積層ガラス３とを後述するように積層した状態で軟化温度にて一体焼成した表示体１Ａが、側面方向から照射する光源として本例で採用するＬＥＤ光源４を内蔵した枠体５と、を備えている。
【００１７】
基材ガラス２と積層ガラス３，３は、透明であれば、成分的に同種のガラスでよい。また、基材ガラス２は１枚ではなく複数用いてもよい。さらに、積層ガラス３，３は本例では基材ガラス２を積層した状態の最表裏面（上面と下面）に接触配置するが、基材ガラス２の図柄を描いた側の面だけに配置してもよい。
【００１８】
ＬＥＤ光源４は、基材ガラス２と積層ガラス３，３の後述する一体焼成後の表示体１Ａを嵌め込む枠体５に埋設されている。なお、ＬＥＤ光源４は色や数については特に限定しない。光源としてＬＥＤ光源４を採用することで、表示体１Ａの側面方向から直進性の強い光を照射するから、他の光源を用いた場合と較べて、暗闇で表示体１Ａの図柄部分のみが際立って光って見えるようになる（表示体１Ａの他の部位は明るくない）。
【００１９】
枠体５は、本例では例えば一方側面部に位置する枠５ａを除いた枠５ｂ，５ｃ，５ｄが一体とされており、表示体１Ａの端縁部を嵌め込み可能な溝５ｅが形成されている。この溝５ｅは、枠５ａにも形成されており、枠５ａは、枠５ｂ，５ｃの枠５ｄが一体的に設けられている側と反対側の端部に、表示体１Ａを嵌め込んだ後に取り付けられる。
【００２０】
なお、この枠体５の内部には、ＬＥＤ光源４の配線や基板が内蔵されており、電源コードは例えば枠５ｃの下面から取り出されている。なお、ＬＥＤ光源４のオン・オフのスイッチは例えば電源コードの途中に設けても良い。
【００２１】
表示体１Ａは、次のようにして作成される。基材ガラス２に図３（ａ）に示すように例えば本例では墨にて図柄を形成する。基材ガラス２に図柄を描くための塗料としては、例墨の他に例えば有機・無機顔料系あるいは有機・無機染料系のインクあるいはトナーが採用できるほか、一般のペンを採用できる。また、図柄は、本例では筆で描く例を示すが、例えばさらに容易には印刷で貼着するといった手法も採用できる。
【００２２】
本例では、例えば１枚の基材ガラス２（本例の場合は表裏に描いても構わない）に上記のように墨にて文字を描き、この状態の基材ガラス２を図３（ｂ）に示すように積層ガラス３，３で挟んで、基材ガラス２及び積層ガラス３，３の軟化温度に加熱し、一体焼成し、表示体１Ａを得る。一体焼成した状態を図３（ｃ）に示す。
【００２３】
一体焼成すべく加熱すると、基材ガラス２の表面のガラス成分が墨成分と反応して結晶化し、失透現象が生じる。失透現象は、透明ではなくなり、見た目磨りガラスのようになることを言う。
【００２４】
表示体１Ａの表示内容はカラーではないものの、加熱時における基材ガラス２のガラス成分と墨（塗料）との反応量（これは図柄を描いた成分やその量にもよる）によって濃淡を付けることが可能であると共に、基材ガラス２を多層積層することで複雑かつ奥行きのある図柄を作成することも可能である。
【００２５】
これにより、表示体１Ａは、基材ガラス２と積層ガラス３，３との積層の境目が一体化して無くなり、見た目、ガラス内部にサンドブラストで模様を描いたような効果となる。サンドブラストで模様を描くにはサンドブラストの機器の操作等の習得が必須となるが、本発明の表示体１Ａを用いた表示装置１であれば、上記のように表示内容自体は極めて簡単に作成することができる。
【００２６】
そして、表示体１Ａは、枠体５に嵌め込まれて、電源をオンにしてＬＥＤ光源４により該表示体１Ａの側面方向から光を照射することで、失透部分で光の乱反射を生じてあたかも発光しているようになる。
【００２７】
これにより、暗所では、上記失透部分だけが空間に浮遊したような表示効果を得ることができ、上記のように基材ガラス２を多層化して全体として奥行きのある図柄とすることで、浮き出たような視覚効果を得ることも可能となる。
【００２８】
上記では表示装置１は、全体として平板の構成で説明したが、例えば表示体１Ａが円筒、半円筒、のように曲面を有する場合であっても有効であり、全体形状のバリエーションに富んだものとすることもできる。
【００２９】
例えば図４には表示体１Ａのみを示すが、この表示体１Ａは、塗料で図柄を描いた着色透明な基材ガラス２を覆うように複数の無色透明な積層ガラス３・・・（個々の図示無）を接触配置し、軟化温度にて一体焼成した構成を示す。こうすることにより、より複雑で演出効果の高い表示装置１とすることができる。
【００３０】
なお、図４では、基材ガラス２に着色透明なものを用いているので外形線を図示しているが、基材ガラス２が無色透明な場合は、図柄（図４では文字）だけがＬＥＤ光源４により立体的に歪んだ状態に表示され、特殊な表示効果を演出することが可能となる。
【符号の説明】
【００３１】
１表示装置
１Ａ  表示体
２  基材ガラス
３  積層ガラス
４  ＬＥＤ光源（光源）
５  枠体
【図１】
0005954697.tif 000002
【図２】
0005954697.tif 000003
【図３】
0005954697.tif 000004
【図４】
0005954697.tif 000005